(57)【特許請求の範囲】
【請求項１】
移動電話端末の診断試験のための方法であって、
該移動電話端末は、記憶されている試験アプリケーションを含むＵＩＣＣカードと、非接触式ユニットによって送信された信号の逆変調によって該ユニットとデータを交換することができる非接触式通信モジュールとを備え、
該方法は試験動作を含み、それによって前記ユニットは、
−  試験アプリケーション選択要求を発し（２０１）、
−  前記移動電話端末によって送信されたアプリケーション選択確認又はアプリケーション選択失敗を示す応答を検出し（２０２、２０４）、
−  前記ＵＩＣＣカード又は前記端末の動作状態を前記検出した応答に応じて確定し（２０３、２０６）、
該方法は後続試験動作を含み、該後続試験動作に従って、前記ユニットは、
−  クエリコマンドを前記ＵＩＣＣカードのディレクトリに送信し（３０１）、
−  前記クエリコマンドに応答して前記移動端末によって送信されたアプリケーションのリストにおいて所与のアプリケーションを検索することによって、該アプリケーションが前記ＵＩＣＣカード内に存在するか否かを判断し（３０２）、
−  前記アプリケーションの動作状態を推論する（３０４）、
移動電話端末の診断試験のための方法。
【請求項２】
−  前記ユニットが前記移動端末からの応答を一切検出しない場合、該ユニットは前記移動端末の機能不良を推論する（２０３）、請求項１に記載の方法。
【請求項３】
−  前記ユニットが前記移動端末からのエラー応答を検出する場合、該ユニットは前記ＵＩＣＣカードの機能不良を推論する（２０６）、請求項１又は２に記載の方法。
【請求項４】
先行試験動作を含み、該先行試験動作に従って、前記ユニットは、
−  所定のフォーマットを有する初期化要求を送信し（１０１）、
−  前記移動電話端末によって送信された応答を検出し又は検出せず（１０２）、
−  前記応答の検出又は非検出に基づいて前記移動端末の動作状態を推論する（１０４）、
請求項１〜３のいずれか一項に記載の方法。
【請求項５】
−  前記ユニットは、それぞれが所定の要求フォーマットシーケンスに従って変動するフォーマットを有する複数の連続した検出要求を送信する（１０１）、請求項４に記載の方法。
【請求項６】
−  前記ユニットが応答を検出する場合、該ユニットは請求項１に記載のステップを実行し（１０３）、
−  前記ユニットが応答を検出しない場合、該ユニットは前記端末の機能不良を推論する（１０４）、
請求項４又は５に記載の方法。
【請求項７】
−  前記ユニットが前記所与のアプリケーションが存在すると判断する場合、該ユニットは該アプリケーションの機能不良を推論する（３０４）、請求項１〜６のいずれか一項に記載の方法。
【請求項８】
−  前記ユニットは、データベースにクエリを発し、前記移動電話のユーザーが前記所与のアプリケーションに関連付けられる前記サービスに加入しているか否かを判断する（３０３）、請求項１〜７のいずれか一項に記載の方法。
【請求項９】
移動電話端末（１０）の動作状態の診断試験のための非接触式ユニット（２０）であって、
前記移動電話端末は、記憶されている試験アプリケーションを含むＵＩＣＣカード（１３）と、該非接触式ユニット（２０）によって送信された信号の逆変調によって該ユニットとデータを交換することができる非接触式通信モジュール（１２）とを備え、
該ユニット（２０）は、請求項１〜８のいずれか一項に記載の前記試験動作のうちの１つ又はいくつかを実行することができる、非接触式ユニット。
【請求項１０】
移動電話端末（１０）であって、記憶されている試験アプリケーションを含むＵＩＣＣカード（１３）と、非接触式ユニット（２０）によって送信された信号の逆変調によって該ユニット（２０）とデータを交換することができる非接触式通信モジュール（１２）とを備え、
前記試験アプリケーションは試験動作を実行するようにプログラムされ、該試験動作に従って、
前記通信モジュールは、前記ユニットによって送信された試験アプリケーション選択要求を受信すると、アプリケーション選択確認応答を前記ユニットに返送し、それによって、前記ユニットは前記ＵＩＣＣカードの動作状態を前記返送された応答に応じて確定することができると共に、
前記通信モジュールは、前記ユニットによって前記ＵＩＣＣカードのディレクトリに送信されたクエリコマンドを受信すると、アプリケーションのリストを前記ユニットに返送し、それによって、前記ユニットは前記アプリケーションの動作状態を推論することができる、移動電話端末。
【発明の詳細な説明】
【技術分野】
【０００１】
本発明は、１つ又はいくつかの非接触式アプリケーションを含む移動電話端末の診断試験のための方法に関する。また、本発明は、関連する非接触式ユニット、及び関連する移動電話端末にも関する。
【背景技術】
【０００２】
ますます多くのサービスが無線通信技術を使用している。これらの技術は、装置が、短距離無線周波数接続（ＩＳＯ１４４４３標準規格の枠組みにおいて、通常、数センチメートルの近傍）、又は近接無線周波数接続（proximity radiofrequency connection）（ＩＳＯ１５６９３標準規格の枠組みにおいて、１メートルの近傍）を介して、互いに又は非接触式チップカードとデータを交換することを可能にする。
【０００３】
「非接触式」とは、非接触式リーダー（近接結合装置−ＰＣＤ）と非接触式カード（近接集積回路カード−ＰＩＣＣ）との間のデータの交換を表し、その交換において、リーダーは所定の搬送周波数において無線信号を送信し、カードは搬送周波数の逆変調（retromodulation）によって別の信号を送信する。
【０００４】
カードは「パッシブ型」又は「アクティブ型」とすることができる。「パッシブ型」の場合、カードはリーダーによって送信される無線フィールドによって（誘導結合を通じた電荷変調によって）電源供給される。「アクティブ型」の場合、カードは特定の電源を備える。
【０００５】
特定の移動端末（移動電話或いはＰＤＡ）は、非接触式アプリケーションを含む。非接触式アプリケーションは、ユーザーが自身の移動端末をデータ交換可能な情報媒体として使用することを可能にし、これによって、端末は、例えばペイメントカード、ポイントカード、身分証明書、ショーチケット、交通チケット、或いは鍵としての役割を果たすことができる。これらのアプリケーションは、端末のＵＩＣＣ（汎用集積回路カード）内に記憶することができる。
【０００６】
このデータ転送方法を使用するサービスが増えるのに伴い、それぞれがサプライヤー又はサービスプロバイダーによってもたらされる特定のサービスに関連して使用可能ないくつかの非接触式アプリケーションを、同一の移動端末が実装できなくてはならなくなった。種々の複数のアプリケーションは、必ずしも同一のサプライヤー又はサービスプロバイダーに関連付けられるとは限らない。さらに、サービスプロバイダーは必ずしも移動電話の通信事業者であるとは限らない。例えば、ペイメントアプリケーションは、銀行によって提供される非接触式ペイメントサービスに加入するユーザーが使用することができる。
【０００７】
ユーザーが、所与のサービスにアクセスする際に問題に遭遇した場合、そのユーザーは移動電話通信事業者の顧客サービスに申し入れることができる。
【０００８】
しかしながら、遭遇する問題は様々な原因を有する。
【０００９】
第１のケースでは、サービスにアクセスすることができないのは、移動電話の非接触式構成要素又は記憶されているアプリケーションを含むＵＩＣＣカードの機能不良に起因する場合がある。
【００１０】
第２のケースでは、サービスにアクセスすることができないのは、アプリケーションにおける機能不良に起因する場合がある。
【００１１】
第１のケースでは、移動電話通信事業者は、例えば移動端末又はＵＩＣＣカードを交換することによって、遭遇した問題を解消しなくてはならない。第２のケースでは、非接触式アプリケーションの適切な動作を確実にしなくてはならないのはサービスサプライヤーである。
【００１２】
しかしながら、時として、機能不良の原因を特定してユーザーを適切な担当者（移動電話通信事業者或いはサービスサプライヤー）に向かわせるのは困難である。
【００１３】
一般に、機能不良の原因の特定を試みるためには、ＵＩＣＣカードを移動端末から取り外し、動作試験を実行することが必要である。
【００１４】
さらに、移動端末の他の構成要素を試験することは現在のところ不可能である。
【発明の概要】
【発明が解決しようとする課題】
【００１５】
本発明の１つの目的は、機能不良の原因の迅速かつ簡単な特定を可能にすることである。
【課題を解決するための手段】
【００１６】
この問題は本発明に照らして解決される。本発明は、移動電話端末の診断試験のための方法であって、移動電話端末は、記憶されている試験アプリケーションを含むＵＩＣＣカードと、非接触式ユニットによって送信された信号の逆変調によってそのユニットとデータを交換することができる非接触式通信モジュールとを備え、
本方法は試験動作を含み、それによってユニットは、
−  試験アプリケーション選択要求を発し、
−  移動電話端末によって送信されたアプリケーション選択確認又はアプリケーション選択失敗を示す応答を検出し、
−  ＵＩＣＣカード又は端末の動作状態を検出した応答に応じて確定する。
【００１７】
ＵＩＣＣカードは、移動端末が試験動作中にユニットに応答することを可能にする特定の試験アプリケーションでプログラミングされる。このため、試験動作は、一連の非接触式構成要素（通信モジュール及びＵＩＣＣカード）が正しく動作していることを、ＵＩＣＣカードを取り外す必要なく検証することを可能にする。
【００１８】
本方法は、以下のステップを含むこともできる。
−  ユニットが移動端末からの応答を一切検出しない場合、ユニットは移動端末の機能不良を推論し、
−  ユニットが移動端末からのエラー応答を検出する場合、ユニットはＵＩＣＣカードの機能不良を推論する。
【００１９】
本発明の１つの実施の形態では、本方法は先行試験動作を含み、先行試験動作に従って、ユニットは、
−  所定のフォーマットを有する初期化要求を送信し、
−  移動電話端末によって送信された応答を検出し又は検出せず、
−  応答の検出又は非検出に基づいて移動端末の動作状態を推論する。
【００２０】
先行試験動作は、一連の非接触式構成要素に対して試験動作を実行する前に、移動端末が機能するか検証することを可能にする。
【００２１】
先行試験動作は、以下のように実行することができる：
−  ユニットは、それぞれが所定の要求フォーマットシーケンスに従って変動するフォーマットを有する複数の連続した初期化要求を送信し、
−  ユニットが応答を検出する場合、ユニットは一連の非接触式構成要素の動作を検証するために次の試験動作のステップを実行し、
−  ユニットが応答を検出しない場合、ユニットは端末の機能不良を推論する。
【００２２】
本発明の１つの実施の形態では、本方法は後続試験動作も含み、後続試験動作に従って、ユニットは、
−  クエリコマンドをＵＩＣＣカードのディレクトリに送信し、
−  クエリコマンドに応答して移動端末によって送信されたアプリケーションのリストにおいて所与のアプリケーションを検索することによって、そのアプリケーションがＵＩＣＣカード内に存在するか否かを判断し、
−  アプリケーションの動作状態を推論する。
【００２３】
後続試験動作は、双方の先行する試験動作によって、端末又は一連の非接触式構成要素の機能不良を結論付けることができないケースにおいて実行される。後続試験動作によって、所与の非接触式アプリケーションがＵＩＣＣカード内に実際に存在することを検証することが可能になる。
【００２４】
後続試験動作は、以下のように実行することができる；
−  ユニットが所与のアプリケーションが存在すると判断する場合、ユニットはアプリケーションの機能不良を推論する。
【００２５】
本発明の１つの実施の形態では、ユニットは、データベースにクエリを発し、移動電話のユーザーが所与のアプリケーションに関連付けられるサービスに加入しているか否かを判断する。
【００２６】
また、本発明は、移動電話端末の動作状態の診断試験のための非接触式ユニットにも関する。移動電話端末は、記憶されている試験アプリケーションを含むＵＩＣＣカードと、非接触式ユニットによって送信された信号の逆変調によってそのユニットとデータを交換することができる非接触式通信モジュールとを備え、ユニットは、上記で定義した試験動作のうちの１つ又はいくつかを実行することができる。
【００２７】
本発明は、移動電話端末にも関する。移動電話端末は、記憶されている試験アプリケーションを含むＵＩＣＣカードと、非接触式ユニットによって送信された信号の逆変調によってそのユニットとデータを交換することができる非接触式通信モジュールとを備え、試験アプリケーションは試験動作を実行するようにプログラムされ、その試験動作に従って、通信モジュールは、ユニットによって送信された試験アプリケーション選択要求を受信すると、アプリケーション選択確認応答をユニットに返送し、それによって、ユニットはＵＩＣＣカードの動作状態を返送された応答に応じて確定することができる。
【００２８】
以下の説明から、他の特徴及び利点が明らかとなろう。この説明は、純粋に情報のためのみであると共に非限定的であり、添付の図面を踏まえて読まれなくてはならない。
【図面の簡単な説明】
【００２９】
【図１】非接触式通信モジュールと診断ユニットとを備える移動電話端末を概略的に示す図である。
【図２】本発明の診断方法の１つの実施形態による、第１の試験動作ステップを概略的に示す図である。
【図３】本発明による方法の１つの実施形態による、第２の試験動作ステップを概略的に示す図である。
【図４】本発明による方法の１つの実施形態による、第３の試験動作ステップを概略的に示す図である。
【発明を実施するための形態】
【００３０】
図１は、移動電話端末１０と診断ユニット２０とを概略的に示している。
【００３１】
移動電話端末１０は、移動電話セルラーネットワークを介して電話通信を確立することが可能な端末である。
【００３２】
また、移動電話端末１０は、非接触式ユニットとデータを交換するようになっている。
【００３３】
その目的のために、端末１０は、特定のアンテナ１１を含む非接触式通信モジュール１２と、１つ又はいくつかの非接触式アプリケーションが記憶されているＵＩＣＣカード１３とを備えている。ＵＩＣＣカード１３は、例えばＳＩＭカードであり、特に試験アプリケーション１４を含む。
【００３４】
ＵＩＣＣカード１３は、工場における製造中に試験動作１４を初期的にプログラムされるか、又はリモートで構成される。リモートで構成される場合、アプリケーション１４は、セルラー電話ネットワーク（ＯＴＡ(無線（Over the Air）)送信）を介して移動端末に送信され、ＵＩＣＣカード内に記憶される。
【００３５】
従来、通信モジュール１２は、単一の接点を使用してＵＩＣＣカード１３に接続される。通信モジュール１２とＵＩＣＣカード１３は、ＳＷＰプロトコル（シングルワイヤプロトコル）に従って唯一の接点を介してデータを交換することができる。
【００３６】
診断ユニット２０は、コンピュータ２１と、移動端末１０に向けて無線周波数信号を送信することが可能なアンテナ２２とを備える。コンピュータ２１は、アンテナ２２が受信した信号を復号することが可能なリーダー２３を備える。コンピュータ２１は、移動端末１０の動作を試験することを可能にする診断試験プログラムを含む。
【００３７】
最後に、診断ユニット２０は、移動電話通信事業者のデータベース３０に接続される。データベース３０は、移動電話ネットワークの加入者に関するデータを含む。
【００３８】
図２〜４は、本発明の１つの実施形態による移動電話端末の診断試験方法のステップを示している。
【００３９】
移動電話端末のユーザーが顧客サービスセンターに申し入れて、自身の移動端末を用いて所与のサービスにアクセスすることができないことを知らせると想定する。
【００４０】
診断試験プログラムは、本方法の種々の複数のステップを自動で実行することができる。診断試験方法は、３つの連続した試験動作を通じて行われる。
【００４１】
第１の試験動作（試験１）が図２に示されている。
【００４２】
第１のステップ１０１によれば、診断試験プログラムは、第１の所定の通信プロトコルに従って、初期化コマンド（ＲＥＱＵＥＳＴ − ＲＥＱ）の形式で、アンテナから無線周波数信号を送信することを命令する。アンテナが受信した信号は、非接触式通信モジュールに送られる。通信モジュールはこの信号を処理し、応答（ＡＮＳＷＥＲ  ＴＯ  ＲＥＱＵＥＳＴすなわちＡＴＱ）を返送する。
【００４３】
第２のステップ１０２によれば、診断試験プログラムは、端末によって応答が送信されたか否かを判断する。予期される応答は、非接触式通信モジュールの識別子（ＩＤ）を含む応答信号から成る。応答信号は、診断端末によって送信されたＮＦＣフレームの変調によって生成される。
【００４４】
リーダーによって応答が検出される場合、第３のステップ１０３に従って、診断試験プログラムは第２の試験動作をトリガーする（試験２）。
【００４５】
リーダーによって応答が検出されない場合、診断試験プログラムは再び第１のステップ１０１を実行する。このとき、端末は、第１のプロトコルとは異なる第２の所定の通信プロトコルに従ってＮＦＣフィールドの形式で無線周波数信号を送信する。
【００４６】
応答が移動端末から受信されない限り、診断試験プログラムは、所定のプロトコルシーケンスをスキャンすることによって、ステップ１０１を更新する。シーケンスの一例が表１に示されている。
【００４７】
【表１】
0005442000.tif 000002
【００４８】
第４のステップ１０４によれば、診断ユニットによってシーケンス全体がスキャンされ、かつ移動端末から応答が一切受信されていない場合、診断ユニットは、移動端末の機能不良を結論付ける。このケースでは、ユーザーの移動端末を交換しなくてはならない。
【００４９】
第２の試験動作（試験２）が図３に示されている。
【００５０】
第１のステップ２０１によれば、診断試験プログラムは、アンテナから試験アプリケーション選択コマンド（ＳＥＬＥＣＴ）の形式で無線周波数信号を送信することを命令する。
【００５１】
第２のステップ２０２によれば、診断試験プログラムは、端末によって応答が送信されたか否かを判断する。予期される応答は、選択情報を含む応答信号（ＳＥＬＥＣＴ  ＡＣＫＮＯＷＬＥＤＧＥすなわちＳＡＫ）から成る。
【００５２】
リーダーによって応答が検出されない場合、第３のステップ２０３に従って、診断ユニットは、移動端末の機能不良を結論付ける。
【００５３】
応答が検出される場合、第４のステップ２０４に従って、診断ユニットは選択が成功したか否かを判断する。換言すれば、診断試験プログラムは、リーダーが選択確認応答を検出するか又はエラー応答を検出するかを判断する。
【００５４】
リーダーによって選択確認応答が検出される場合、第５のステップ２０５に従って、診断試験プログラムは第３の試験動作（試験３）をトリガーする。
【００５５】
エラー応答が検出される場合、第６のステップ２０６に従って、診断ユニットはＵＩＣＣカードの機能不良を結論付ける。このケースでは、ＵＩＣＣカードを交換しなくてはならない。
【００５６】
第３の試験動作（試験３）が図４に示されている。
【００５７】
第１のステップ３０１によれば、診断試験プログラムは、ＵＩＣＣカード上に存在するアプリケーションのリストに対するクエリコマンド（ＡＰＤＵグローバルプラットフォームコマンドＧＥＴ  ＳＴＡＴＵＳ、ＡＰＤＵグローバルプラットフォームはアプリケーション層で実行されるクエリコマンドである）形式の無線周波数信号のアンテナによる送信を制御する。このコマンドへの応答において、端末の非接触式通信モジュールは、ＵＩＣＣカード上に存在する非接触式アプリケーションのリストを返す。
【００５８】
第２のステップ３０２によれば、診断試験プログラムは、所与のアプリケーションがリスト上に存在するか否かを判断する。
【００５９】
アプリケーションが存在しない場合、第３のステップ３０３に従って、診断ユニットはデータベースにクエリを発し、欠けているアプリケーションに関連付けられるサービスにユーザーが加入しているか検証する。
【００６０】
ユーザーがそのサービスに加入している場合、ユーザーは当該アプリケーションに関連付けられるサービスプロバイダーに連絡するように求められる。
【００６１】
反対のケースでは、診断ユニットは、ユーザーがそのアプリケーションに関連付けられるサービスに加入していないと結論付ける。
【００６２】
アプリケーションが存在する場合、第４のステップ３０４に従って、診断試験プログラムはアプリケーションの機能不良を結論付ける。このケースでは、ユーザーは欠陥のあるアプリケーションに関連付けられるサービスプロバイダーに接触するように求められる。表２は、診断試験方法の起こり得る結果を示している。
【００６３】
【表２】
0005442000.tif 000003
【図１】
0005442000.tif 000004
【図２】
0005442000.tif 000005
【図３】
0005442000.tif 000006
【図４】
0005442000.tif 000007